【手続補正書】
【提出日】平成18年9月14日(2006.9.14)
【手続補正１】
【補正対象書類名】特許請求の範囲
【補正対象項目名】全文
【補正方法】変更
【補正の内容】
【特許請求の範囲】
【請求項１】
所定の間隔で設けられた複数の走査電極と、所定の間隔で設けられた複数のデータ電極との各交点に画素回路を配置する表示装置の駆動回路において、
Ｎ個（Ｎ：２以上の自然数）の前記データ電極に対応し、画像信号に応じて複数の階調電圧の中から１つの階調電圧を選択する階調選択回路をＮ個備え、
前記階調選択回路で選択した階調電圧をインピーダンス変換して前記データ電極を駆動する増幅回路と、
１水平期間を少なくとも（Ｎ＋１）個の期間に分割し、第Ｋ（Ｋ＝１〜Ｎ）の期間では、第Ｋの階調選択回路の出力のみを前記増幅回路に入力して前記増幅回路の出力によって前記第Ｋのデータ電極を駆動し、第Ｋ以外の少なくとも一部の期間では、前記第Ｋの階調選択回路の出力によって前記第Ｋのデータ電極を駆動するように制御する切換制御回路と、
を備えることを特徴とする表示装置の駆動回路。
【請求項２】
前記切換制御回路は、
一端が前記第Ｋ（Ｋ＝１〜Ｎ）の階調選択回路の出力に接続され、他端が前記増幅回路の入力に接続されるスイッチをＫ＝１〜Ｎに対応させてＮ個含む第１のスイッチ群と、
一端が前記第Ｋ（Ｋ＝１〜Ｎ）のデータ電極に接続され、他端が前記増幅回路の出力に接続されるスイッチをＫ＝１〜Ｎに対応させてＮ個含む第２のスイッチ群と、
一端が前記第Ｋの階調選択回路に接続され、他端が前記第Ｋのデータ電極に接続されるスイッチをＫ＝１〜Ｎに対応させてＮ個含む第３のスイッチ群と、
を備え、
前記第Ｋの期間では、前記第１および第２のスイッチ群のＫ番目のスイッチをオンとしてＫ番目以外のスイッチをオフとすると共に、前記第３のスイッチ群のＫ番目のスイッチをオフとし、前記第Ｋ以外の少なくとも一部の期間では、前記第１および第２のスイッチ群のＫ番目のスイッチをオフとすると共に、前記第３のスイッチ群のＫ番目のスイッチをオンとするように動作することを特徴とする請求項１記載の表示装置の駆動回路。
【請求項３】
一端が前記第Ｋ（Ｋ＝１〜Ｎ）のデータ電極に接続され、他端同士が互いに接続されるスイッチをＫ＝１〜Ｎに対応させてＮ個含む第４のスイッチ群を備え、
１水平期間の所定の期間だけ前記第４のスイッチ群に含まれるスイッチを全てオンにして前記データ電極を全てショートすることを特徴とする請求項１〜２のいずれか一記載の表示装置の駆動回路。
【請求項４】
所定の電圧を発生する短絡電圧発生回路と、
一端が前記第Ｋ（Ｋ＝１〜Ｎ）のデータ電極に接続され、他端同士が前記短絡電圧発生回路の出力に接続されるスイッチをＫ＝１〜Ｎに対応させてＮ個含む第４のスイッチ群とを備え、
１水平期間の所定の期間だけ前記第４のスイッチ群に含まれるスイッチを全てオンにして前記データ電極に前記所定の電圧を与えることを特徴とする請求項１〜２のいずれか一記載の表示装置の駆動回路。
【請求項５】
前記階調選択回路と前記第１のスイッチ群および前記第３のスイッチ群との間に極性信号に応じて前記階調選択回路の出力を入れ換える第５のスイッチ群を備え、
前記入れ換えに対応する画像信号を前記極性信号に応じて入れ換える入れ換え手段を前記階調選択回路より前の前記画像信号の供給側に備えることを特徴とする請求項１〜４のいずれか一記載の表示装置の駆動回路。
【請求項６】
前記データ電極と前記第２のスイッチ群および第３のスイッチ群との間に極性信号に応じて前記データ電極の入力を切り換える第５のスイッチ群を備え、
前記入れ換えに対応する画像信号を前記極性信号に応じて入れ換える入れ換え手段を前記階調選択回路より前の前記画像信号の供給側に備えることを特徴とする請求項１〜４のいずれか一記載の表示装置の駆動回路。
【請求項７】
前記入れ換え手段を、１水平期間だけ画像信号を保持するデータラッチ回路の入力側または出力側に備えることを特徴とする請求項６記載の表示装置の駆動回路。
【請求項８】
前記入れ換え手段を、１水平期間のスタート信号を入力して画像信号のサンプリング信号を生成するシフトレジスタ回路の出力に接続し、前記サンプリング信号を入れ換えることで前記画像信号を入れ換えることを特徴とする請求項６記載の表示装置の駆動回路。
【請求項９】
前記入れ換え手段を、クロック信号の周期の期間だけ画像信号を保持して前記画像信号が供給される配線を駆動するデータバッファ回路の出力側に備えることを特徴とする請求項６記載の表示装置の駆動回路。
【請求項１０】
前記増幅回路は、ボルテージフォロア回路であることを特徴とする請求項１〜２のいずれか一記載の表示装置の駆動回路。
【請求項１１】
前記ボルテージフォロア回路は、前記データ電極を駆動する期間には少なくともバイアス電流が供給されることを特徴とする請求項１０記載の表示装置の駆動回路。
【請求項１２】
所定の間隔で設けられた複数の走査電極と、所定の間隔で設けられた複数のデータ電極との各交点に画素回路を配置する表示装置の駆動方法において、
Ｎ個（Ｎ：２以上の自然数）の前記データ電極に対応し、画像信号に応じて複数の階調電圧の中から１つの階調電圧を選択する階調選択回路をＮ個備え、
前記階調選択回路で選択した階調電圧をインピーダンス変換して前記データ電極を駆動する増幅回路を備え、
１水平期間を少なくとも（Ｎ＋１）個の期間に分割し、第Ｋ（Ｋ＝１〜Ｎ）の期間では、第Ｋの階調選択回路の出力のみを前記増幅回路に入力して前記増幅回路によって前記第Ｋのデータ電極を駆動し、第Ｋ以外の少なくとも一部の期間では、前記第Ｋの階調選択回路によって前記第Ｋのデータ電極を駆動することを特徴とする表示装置の駆動方法。
【請求項１３】
前記第１の期間から第Ｎの期間の各期間は、同じであることを特徴とする請求項１２記載の表示装置の駆動方法。
【請求項１４】
前記第１の期間から第Ｎの期間の各期間のうち、少なくとも１つの期間が他の期間と異なることを特徴とする請求項１２記載の表示装置の駆動方法。
【請求項１５】
前記第（Ｎ＋１）の期間は、前記第１の期間から前記第Ｎの期間の各期間より長いことを特徴とする請求項１２記載の表示装置の駆動方法。
【請求項１６】
あるフレームにおける前記データ電極の駆動順序が前記フレームの前のフレームにおける前記データ電極の駆動順序と異なることを特徴とする請求項１２記載の表示装置の駆動方法。
【請求項１７】
請求項１〜１１のいずれか一記載の駆動回路を備える表示装置。
【請求項１８】
請求項１２〜１６のいずれか一記載の駆動方法を用いる表示装置。
【請求項１９】
所定の間隔で設けられた複数の走査電極と、所定の間隔で設けられた複数のデータ電極との各交点に画素回路を配置する表示装置の駆動方法において、
１水平期間を少なくともＮ個以上（Ｎ：２以上の自然数）の駆動期間に分割し、第１〜第Ｎのデータ電極を時分割に駆動する増幅回路を備え、
前記増幅回路による前記第１、第２、・・・、第Ｎ−１、第Ｎのデータ電極の駆動期間をｔ１、ｔ２、・・・、ｔ（Ｎ−１）、ｔＮとするとき、少なくとも１つの駆動期間が他の駆動期間と異なることを特徴とする表示装置の駆動方法。
【請求項２０】
前記駆動期間ｔＮは、前記駆動期間ｔ１〜ｔ（Ｎ−１）のいずれか１つの駆動期間より長いことを特徴とする請求項１９に記載の表示装置の駆動方法。
【請求項２１】
前記駆動期間ｔ１は、前記駆動期間ｔ２〜ｔＮのいずれか１つの駆動期間より短いことを特徴とする請求項１９に記載の表示装置の駆動方法。
【請求項２２】
表示装置のデータ電極を駆動する半導体集積回路装置において、
Ｎ個（Ｎ：２以上の自然数）の電極と、
画像信号に応じて複数の階調電圧のなかから１つの階調電圧を選択するＮ個の階調電圧選択回路と、
前記選択された１つの階調電圧をインピーダンス変換して前記電極に出力する少なくとも１つの増幅回路と、
１水平期間を少なくとも（Ｎ＋１）個の期間に分割し、第Ｋ（Ｋ＝１〜Ｎ）の期間では、第Ｋの階調選択回路の出力のみを前記増幅回路に入力して前記増幅回路から前記第Ｋの電極に出力し、第Ｋ以外の少なくとも一部の期間では、前記第Ｋの階調電圧選択回路で選択した階調信号を直接に前記電極に出力するように制御する切換制御回路と、
を備えることを特徴とする半導体集積回路装置。
【手続補正２】
【補正対象書類名】明細書
【補正対象項目名】００３６
【補正方法】変更
【補正の内容】
【００３６】
また、第１の期間から第Ｎの期間の各期間のうち、少なくとも１つの期間が他の期間と異なっていてもよい。さらに、第（Ｎ＋１）の期間は、第１の期間から第Ｎの期間の各期間より長くともよい。また、あるフレームにおけるデータ電極の駆動順序が前のフレームにおけるデータ電極の駆動順序と異なっていてもよい。
【手続補正３】
【補正対象書類名】明細書
【補正対象項目名】００３７
【補正方法】変更
【補正の内容】
【００３７】
本発明に係る表示装置の駆動方法は、第３の視点によれば、所定の間隔で設けられた複数の走査電極と、所定の間隔で設けられた複数のデータ電極との各交点に画素回路を配置する表示装置の駆動方法において、１水平期間を少なくともＮ個以上（Ｎ：２以上の自然数）の駆動期間に分割し、第１〜第Ｎのデータ電極を時分割に駆動する増幅回路を備え、増幅回路による第１、第２、・・・、第Ｎ−１、第Ｎのデータ電極の駆動期間をｔ１、ｔ２、・・・、ｔ（Ｎ−１）、ｔＮとするとき、少なくとも１つの駆動期間が他の駆動期間と異なる。
【手続補正４】
【補正対象書類名】明細書
【補正対象項目名】００３８
【補正方法】変更
【補正の内容】
【００３８】
本発明に係る半導体集積回路装置は、第４の視点によれば、表示装置のデータ電極を駆動する半導体集積回路装置において、Ｎ個（Ｎ：２以上の自然数）の電極と、画像信号に応じて複数の階調電圧のなかから１つの階調電圧を選択するＮ個の階調電圧選択回路と、選択された１つの階調電圧をインピーダンス変換して電極に出力する少なくとも１つの増幅回路と、１水平期間を少なくとも（Ｎ＋１）個の期間に分割し、第Ｋ（Ｋ＝１〜Ｎ）の期間では、第Ｋの階調選択回路の出力のみを増幅回路に入力して増幅回路から第Ｋの電極に出力し、第Ｋ以外の少なくとも一部の期間では、第Ｋの階調電圧選択回路で選択した階調信号を直接に電極に出力するように制御する切換制御回路と、を備える。
【手続補正５】
【補正対象書類名】明細書
【補正対象項目名】００４４
【補正方法】変更
【補正の内容】
【００４４】
以上説明したように、本発明の実施形態に係る表示装置の駆動回路は、第Ｋのデータ電極５Ｋは、第Ｋの期間では増幅回路３０により駆動され、第Ｋ以外の少なくとも一部の期間では、階調選択回路１Ｋにより直接駆動される。したがって、第１〜第Ｎの期間において増幅回路３０がＮ個の階調選択回路とＮ個のデータ電極とに時分割で接続されるので、増幅回路３０の個数がデータ電極の個数に対して１／Ｎとなり、駆動回路の回路面積を低減することができる。また、データ電極が増幅回路３０により駆動されない区間にあっては、一部区間でデータ電極５Ｋが階調選択回路１Ｋにより直接駆動される。したがって、増幅回路３０による駆動後のデータ電極５Ｋがハイ・インピーダンスとなる期間を極めて短くすることができ、データ電極５Ｋの電圧値のずれを極めて小さくすることができる。また、増幅回路３０によるオフセット電圧の発生を補正することができる。その結果、表示むらなども低減することができ、高画質な表示を得ることができる。
【手続補正６】
【補正対象書類名】明細書
【補正対象項目名】００４７
【補正方法】変更
【補正の内容】
【００４７】
階調電圧発生回路８は、複数の抵抗を直列に接続し、各接続電極から予めガンマ特性に合うように設定した正極、あるいは負極のそれぞれ６４値の階調電圧を発生し、階調選択回路１０に供給する。
【手続補正７】
【補正対象書類名】明細書
【補正対象項目名】００５０
【補正方法】変更
【補正の内容】
【００５０】
次にデータ電極駆動回路の主要部の回路について説明する。図４は、本発明の第１の実施例に係るデータ電極駆動回路の主要部の回路図である。図４では、データ電極が３個（５Ｒ、５Ｇ、５Ｂ）の場合を示し、それぞれに対しデコーダ回路６Ｒ、６Ｇ、６Ｂ、階調選択回路１Ｒ、１Ｇ、１Ｂ、スイッチ２Ｒ、２Ｇ、２Ｂ、スイッチ３Ｒ、３Ｇ、３Ｂおよびスイッチ４Ｒ、４Ｇ、４Ｂがそれぞれ対応して存在する。したがって、データ電極５Ｒについてのみ説明し、データ電極５Ｇ、５Ｂについては、データ電極５Ｒと同様なので説明を省略する。なお、他に階調電圧発生回路８およびバイアス電流を遮断して非活性状態にすることのできるボルテージフォロア回路３１が主要部の回路に備えられている。
【手続補正８】
【補正対象書類名】明細書
【補正対象項目名】００６４
【補正方法】変更
【補正の内容】
【００６４】
実際には、ＲＧＢの３色単位ごとに駆動するのが表示品質上好ましいので、ＲＧＢを１画素とすれば２画素分をボルテージフォロア回路３１で６回駆動するのが望ましい。
【手続補正９】
【補正対象書類名】明細書
【補正対象項目名】００８３
【補正方法】変更
【補正の内容】
【００８３】
次に、ラッチ信号ＳＴＢが“Ｌ”に切り換わるとスイッチ７ＲＰ、７ＧＰ、７ＢＰ、７ＲＮ、７ＧＮ、７ＢＮをオフし、６個のスイッチ２５Ａをオン、６個のスイッチ２５Ｂをオフとする（図１１に示すスイッチの状態）。その後は、実施例１と同様に、スイッチ群２１Ａとスイッチ群２４Ａの各スイッチを切り換え、ボルテージフォロア回路３１Ｐ、階調選択回路１ＲＰ、１ＧＰ、１ＢＰによって時分割的にデータ電極５ＲＰ、５ＢＰ、５ＧＮを正極側の電圧に駆動し、ボルテージフォロア回路３１Ｎ、階調選択回路１ＲＮ、１ＧＮ、１ＢＮによって時分割的にデータ電極５ＧＰ、５ＲＮ、５ＢＮを負極側の電圧に駆動する。
【手続補正１０】
【補正対象書類名】明細書
【補正対象項目名】００８５
【補正方法】変更
【補正の内容】
【００８５】
次に、ラッチ信号ＳＴＢが“Ｌ”に切り換わるとスイッチ７ＲＰ、７ＧＰ、７ＢＰ、７ＲＮ、７ＧＮ、７ＢＮをオフし、６個のスイッチ２５Ｂをオン、６個のスイッチ２５Ａをオフとする。その後は、実施例１と同様に、スイッチ群２１Ａとスイッチ群２４Ａの各スイッチを切り換え、ボルテージフォロア回路３１Ｐ、階調選択回路１ＲＰ、１ＧＰ、１ＢＰによって時分割的にデータ電極５ＧＰ、５ＲＮ、５ＢＮを正極側の電圧に駆動し、ボルテージフォロア回路３１Ｎ、階調選択回路１ＲＮ、１ＧＮ、１ＢＮによって時分割的にデータ電極５ＲＰ、５ＢＰ、５ＧＮを負極側の電圧に駆動する。